(57)【要約】【課題】  容易に、かつ安価に施工することができる壁面の下地処理工法を提供する。【解決手段】  突起部２ｄが座金の縁部周辺に沿って突出するように設けられた座金２（５）を用いて、壁面８に胴縁９を取付ける工程を含む壁面８の下地処理工法であって、胴縁９を壁面８上に配置し、次いで止め金具としてのビス６を打つ壁面８の所定位置に、胴縁９の上面から垂直又は略垂直に、壁面８の表面側から壁面８を貫通しない程度の間の深さ１１ａまで、ビス６の首下が挿入できる程度の径の下穴１１を開けて、次いで接着剤１４を下穴１１に流し込んで、次いで下穴１１にビス６を挿入し、座金２（５）をビス６の頭上面に覆い被せて密着させ、突起部２ｄを下穴１１周辺の胴縁９に刺して固定することを特徴とする壁面８の下地処理工法。【選択図】  図３（ｃ）
2005126914.tif 000002
【特許請求の範囲】
【請求項１】
突起部が座金の縁部周辺に沿って突出するように設けられた座金を用いて、壁面に胴縁を取付ける工程を含む壁面の下地処理工法であって、
胴縁を壁面上に配置し、
次いで止め金具としてのビスを打つ前記壁面の所定位置に、前記胴縁の上面から垂直又は略垂直に、前記壁面の表面側から壁面を貫通しない程度の深さまで、ビスの首下が挿入できる径の下穴を開けて、
次いで接着剤を前記下穴に流し込んで、
次いで前記下穴にビスを挿入し、
前記座金を前記ビスの頭上面に覆い被せて密着させ、前記突起部を下穴周辺の前記胴縁に刺して固定することを特徴とする壁面の下地処理工法。
【請求項２】
突起部が座金の縁部周辺に沿って突出するように設けられた座金の略中央部に、前記座金の表面から裏面にかけて垂直又は略垂直にビスを挿入して前記座金と前記ビスとを一体化した座金を用いて、壁面に胴縁を取付ける工程を含む壁面の下地処理工法であって、
胴縁を壁面上に配置し、
次いで止め金具としてのビスを打つ前記壁面の所定位置に、前記胴縁の上面から垂直又は略垂直に、前記壁面の表面側から壁面を貫通しない程度の深さまで、ビスの首下が挿入できる径の下穴を開けて、
次いで接着剤を前記下穴に流し込んで、
次いで前記下穴にビスを挿入し、
前記ビスと一体化している座金の突起部を下穴周辺の前記胴縁に刺して固定することを特徴とする壁面の下地処理工法。
【請求項３】
座金の基板となる薄板の縁部分を折り曲げて突起部とした座金を用いたことを特徴とする請求項１又は２記載の壁面の下地処理工法。
【請求項４】
座金の基板となる薄板の裏面の一部を突出させて突起部とした座金を用いたことを特徴とする請求項１又は２記載の壁面の下地処理工法。
【発明の詳細な説明】
【技術分野】
【０００１】
本発明は壁面に胴縁を取付ける下地処理工法に関するものである。
【背景技術】
【０００２】
従来、壁面、特にＡＬＣ壁のような脆い強度を有する壁に胴縁を固定する下地処理工法として、アンカーボルトやＡＬＣボルト等を用いて胴縁を固定する方法、壁面に下穴を開けて、下穴にホットメルト接着剤を注入後、ボルトや寸切りボルトを挿入して固定する方法等が知られている。
【０００３】
その他の下地処理工法としては、内側にネジが切られた筒状部と、筒状部端に筒状部の軸方向と垂直になるように配された壁面取付け用のフランジ部を有していて、フランジ部には筒状部の内側と連通する連通孔が設けられていて、筒状部のフランジ部側基部はフランジ部に向けて径が太くなるように傾斜部が設けられており、筒状部内側の内ネジが切られた部分には筒状部の軸方向に移動し得るプラグがねじ込まれていることを特徴とするアンカーを用いる方法が知られている。
【０００４】
具体的には、壁面、例えばＡＬＣ壁に壁を貫通しないように削孔してアンカー取付け孔を設けて、次いでアンカー取付け孔内部に発泡性硬化樹脂を注入して、次いで前記アンカーの筒状部を挿入してフランジ部を壁面に固定して、次いで発泡性硬化樹脂が硬化する前にアンカーの筒状部内部のプラグを筒状部先端方向に前進させることによって、筒状部先端とプラグとの間に詰まった発泡性硬化樹脂を筒状部先端から筒状部外に排出して、次いで発泡性硬化樹脂の硬化前又は硬化後に台座に取付けられたネジ部をアンカーのフランジ部の連通孔からアンカーの筒状部内部にねじ込むことによって、台座をアンカーに取付けて、台座に胴縁を取付けるという方法が知られている（例えば、特許文献１参照。）。
【特許文献１】特開平９−１５８３３４号公報
【発明の開示】
【発明が解決しようとする課題】
【０００５】
アンカーボルトやＡＬＣボルト等を用いて胴縁を固定する方法においては以下のような問題点がある。
【０００６】
例えば、ＡＬＣ壁面の下地処理の場合には、ＡＬＣが脆い材料であるため、電動ドライバー等を用いてボルトを締め付けると、ＡＬＣ壁面にクラックが入り、前記アンカーボルトや前記ＡＬＣボルトとＡＬＣ壁面との保持強度が極端に低下することがある。
【０００７】
また、下穴を開けて、下穴にホットメルト接着剤を注入後、ボルトや寸切りボルトを挿入して固定する方法においては、ボルトの径よりも下穴の径が大きいため、ホットメルト接着剤が硬化するまでに、ボルトが動いてしまって傾いたまま固定されてしまうという問題がある。
【０００８】
さらに特許文献１のアンカーを用いた胴縁取付け方法には以下のような問題点がある。
【０００９】
１つにアンカーの筒状部内部のプラグを筒状部先端方向に前進させる時に、発泡性硬化樹脂が内ネジ部の溝に目詰まりしてしまい、プラグが前進できないことが起こり得る。また、前進させたとしても、筒状部外へ排出できなかった一部の発泡性硬化樹脂が筒状部内部の内ネジ部にこびりついてしまって、そのまま硬化した場合、台座に取付けられたネジ部をアンカーのフランジ部の連通孔からアンカーの筒状部内部にねじ込むときにうまくねじ込めないといったことがある。また、壁と胴縁の間に存在するアンカーのフランジ部の厚みと台座の厚みが重なって、壁から胴縁の上面までの厚みが非常に厚くなってしまう結果、胴縁に外皮部材を取付ける際には、アンカーのフランジ部の厚みと台座の厚みの分の施工用部材が余計に必要となってくる。さらに、特殊なアンカーと台座を利用するため、これらの費用も嵩んで、施工コストが大幅にかかってしまう。
【００１０】
本発明の壁面の下地処理工法は上記問題点に鑑みてなしたもので、その目的とするところは容易に、かつ安価に施工することができる壁面の下地処理工法を提供することにある。
【課題を解決するための手段】
【００１１】
請求項１に係る発明の壁面の下地処理工法は、突起部が座金の縁部周辺に沿って突出するように設けられた座金を用いて、壁面に胴縁を取付ける工程を含む壁面の下地処理工法であって、胴縁を壁面上に配置し、次いで止め金具としてのビスを打つ前記壁面の所定位置に、前記胴縁の上面から垂直又は略垂直に、前記壁面の表面側から壁面を貫通しない程度の深さまで、ビスの首下が挿入できる径の下穴を開けて、次いで接着剤を前記下穴に流し込んで、次いで前記下穴にビスを挿入し、前記座金を前記ビスの頭上面に覆い被せて密着させ、前記突起部を下穴周辺の前記胴縁に刺して固定することを特徴とする。
【００１２】
請求項２に係る発明の壁面の下地処理工法は、突起部が座金の縁部周辺に沿って突出するように設けられた座金の略中央部に、前記座金の表面から裏面にかけて垂直又は略垂直にビスを挿入して前記座金と前記ビスとを一体化した座金を用いて、壁面に胴縁を取付ける工程を含む壁面の下地処理工法であって、胴縁を壁面上に配置し、次いで止め金具としてのビスを打つ前記壁面の所定位置に、前記胴縁の上面から垂直又は略垂直に、前記壁面の表面側から壁面を貫通しない程度の深さまで、ビスの首下が挿入できる径の下穴を開けて、次いで接着剤を前記下穴に流し込んで、次いで前記下穴に前記ビスを挿入し、前記ビスと一体化している座金の突起部を下穴周辺の前記胴縁に刺して固定することを特徴とする。
【００１３】
請求項３に係る発明の壁面の下地処理工法は、請求項１又は２記載の座金において、座金の基板となる薄板の縁部分を折り曲げて突起部としたことを特徴とする。
【００１４】
請求項４に係る発明の壁面の下地処理工法は、請求項１又は２記載の座金において、  座金の基板となる薄板の裏面の一部を突出させて突起部としたことを特徴とする。
【発明の効果】
【００１５】
請求項１に係る発明の壁面の下地処理工法によれば、下穴に接着剤を注入して、ビスを挿入した後、ビスの頭上面に前記座金を覆い被せて密着させて、下穴周辺の胴縁に前記座金の突起部を刺して固定することによって、接着剤硬化中にビスが傾いたり、浮いたりすることがなく、接着剤が硬化した時には前記ビスが所望の形態で固定されて取付けられる。
【００１６】
また、下穴としては、ボルトや寸切りボルトの径よりも大きな径を開けなければならないが、従来はボルトや寸切りボルト等を止め金具として使用していたため、φ１０〜１２ｍｍ程の大きさの下穴の径を開けていた。本件の発明のように座金を用いるとビス等の比較的小さい止め金具であっても止め金具としての効果を奏することができて、ボルトや寸切りボルトを止め金具として利用する時に開ける下穴径よりも小さい下穴径で済み、下穴に注入する接着剤の量も少なくて済む。また、従来の方法では接着剤が硬化してから胴縁を取付けていたが、本発明による座金を用いて取付ければ、接着剤の硬化と同時に下地処理が完成するため、作業工程を少なくできて、施工の手間を省くことができる。
【００１７】
請求項２に係る発明の壁面の下地処理工法によれば、請求項１記載の壁面の下地処理工法における座金とビスとを一体化したことによって、ビスを接着材中に挿入する工程と、ビスの頭に座金を覆い被せて取付ける工程とを１つに集約することができ、施工の手間を省くことができる。
【発明を実施するための最良の形態】
【００１８】
以下、本発明を実施形態に基づいて説明する。
【００１９】
図１は本発明である壁面の下地処理工法に用いられる座金の斜視図である。
【００２０】
図２は座金の他の実施形態の斜視図である。
【００２１】
図３（ａ）〜図３（ｃ）は本発明の実施形態を示した断面図である。
【００２２】
図４は図１又は図２の座金にビスを挿入して一体化させた座金の斜視図である。
【００２３】
図５は壁面の胴縁取付け後の斜視図である。
【００２４】
なお、この説明において、座金の表面とは図１、図２、図３（ｃ）および図４における上面のことをいい、裏面とは下面すなわち壁面側のことをいう。
【００２５】
（実施形態１）
図１に例示したように、座金２の基板である略正方形の薄板である角型基板材１の四隅１ａを、裏面方向に基板材面と垂直、又は略垂直に折り曲げる。この四隅１ａが折り曲げられた角型基板材１を座金（折り曲げ突起部付き）２とする。この時、突起部２ｄの高さである２ａは、施工する胴縁に刺さって十分に固定できる程度の高さを有していて、突起部２ｄの側面となる２ｂと２ｃは同じ、もしくは略同じ長さであるとよい。基板材１となる材料は、例えば鋼製のものがよいが、座金としての硬度を有するものであればよい。角型基板材１の厚さは通常座金に適用できる厚さ（１〜４ｍｍ）程度がよく、上面の形状は角を折り曲げることができる多角形形状を有していることが好ましい。また、角型基板材１の表面の大きさは下地処理に用いるビスの大きさを考慮して、ビス頭の上面が座金２の裏面に十分収まるような大きさでなければならない。
【００２６】
また、座金としては図２に例示したように、座金５の基板である円形の薄板である丸型基板材３の縁部３ａに沿って、丸型基板材３よりも高い硬度を有する材料で作られている丸棒４で、丸型基板材３の表面から裏面に向かって、垂直又は略垂直に略等間隔に突き刺して、丸型基板材３の一部を突出させて突起部５ａとする。これを座金（突刺し突出部付き）５とする。丸型基板材３の厚さは通常座金に適用できる厚さ（１〜４ｍｍ）であればよい。座金に突き刺す位置は丸型基板材３の縁部３ａが原型のまま残るように決めればよい。また丸棒４は、裏面に突出させる略円形の突起部５ａが、胴縁に刺さって固定される程度の直径５ｃを有するような大きさを有していればよい。さらに，丸型基板材３の裏面に突出させる突出高さ５ｂは、胴縁に刺さって十分固定できる高さを有していればよい。
【００２７】
以上のようにして作られた座金２、又は座金５を用いて以下のように壁面８の下地処理工法を行う
図３（ａ）に例示したように、ＡＬＣ壁面８上に沿って胴縁９となる水平材を配置して、ＡＬＣボルト（仮止め部材）１０で胴縁９が簡単には動かないように、下穴１１を開けようとする場所を避けて仮止めする。ここでの仮止め作業は、胴縁９が動かなければ使用する止め金具および止める方法の如何は問わない。また、仮止め作業を行わなくても事足りれば特に行う必要はない。
【００２８】
次いで、胴縁９の止め金具としてビス６を用いる。用いるビス６の径はφ６ｍｍ前後のものでよい。ビス６を取付けて胴縁９を固定しようとする場所に、電動ドリル１２等を用いて、胴縁９の上から垂直又は略垂直にＡＬＣ壁面８を貫通しない程度の深さ１１ａまで下穴１１を開ける。下穴の径はφ８ｍｍ程でよい。この時、胴縁９上面から胴縁９の高さの略半分の高さ１１ｂにおいて、電動ドリル１２の径１１ｃよりも大きい径１１ｄの丸穴を重ねて開けて下穴１１の上部を段付きにしたものを補助下穴１１１とする。
【００２９】
次いで図３（ｂ）に例示したように、図３（ａ）で開けた下穴１１に下塗り剤１３を注入し、プライマー処理を行う。このプライマー処理は接着剤１４の接着度を向上させるために行うもので、プライマー処理を行わなくても、接着剤１４と壁面８との接着度が十分に強いと思われる場合は特に行う必要はない。
【００３０】
次いで下穴１１から溢れない程度に接着剤１４を注入する。
【００３１】
次いで図３（ｃ）の（ｃ１）に例示したように、下穴１１に注入された接着剤１４が硬化する前に、下穴１１にビス６をビス頭６ａが胴縁９に引っ掛かる程度又は首下の先端が下穴１１の底面に付くまで挿入する。
【００３２】
次いで座金２又は座金５をビス６の頭の上に覆い被せて密着させて、突起部２ｄ又は５ａを補助下穴１１１の下面の胴縁９に刺して簡単には抜けないように固定する。
【００３３】
最後に接着剤１４が硬化したら、図５に例示したように壁面８の下地処理が完成する。
【００３４】
（実施形態２）
図４に例示したように、実施形態１の座金２、又は座金５の表面中央部又は略中央部に壁面８の下地処理で用いるビス６を挿入する。ビス６の径はφ６ｍｍ前後のものを用いるとよい。座金２（５）の突起部２ｄ、５ａを残すようにして、少なくともビス頭６ａが座金２（５）の表面よりも上方に位置していて、ビス６の首下部分の一部が座金（５）の裏面より下に位置するように、座金２（５）の表面から裏面に向かって、表面と垂直又は略垂直にビス６を突き刺して座金２（５）とビス６を公知の接合手段を用いて固定して、座金（ビス一体化突起部付き）７とする。
【００３５】
このようにして作られた座金７を用いて以下のように壁面８の下地処理工法を行う
図３（ａ）に例示したように、ＡＬＣ壁面８上に沿って胴縁９となる水平材を配置し、ＡＬＣボルト１０で胴縁９を仮止めする。この仮止め方法は実施形態１の場合と同じである。
【００３６】
次いで、実施形態１の場合と同様に、ビス６を取付けて胴縁９を固定しようとする場所に、電動ドリル１２等を用いて、胴縁９の上から垂直又は略垂直にＡＬＣ壁面８を貫通しない程度の深さ１１ａまで下穴１１を開ける。
【００３７】
次いで図３（ｂ）に例示したように、実施形態１の場合と同様に、図３（ａ）で開けた下穴１１に下塗り剤１３を注入し、プライマー処理を行い、下穴１１に接着剤１４を注入する。
【００３８】
次いで図３（ｃ）の（ｃ２）に例示したように、下穴１１に注入された接着剤１４が硬化する前に、下穴１１に座金７のビス６の首下部分を挿入し、補助下穴１１１の下面である胴縁９に座金７の突出部７ａを突き刺して簡単には抜けないように固定する。
【００３９】
最後に接着剤１４が硬化したら図５に例示したように、壁面８の下地処理が完成する。
【図面の簡単な説明】
【００４０】
【図１】本発明の壁面の下地処理工法に用いられる座金の斜視図である。
【図２】座金の他の実施形態を示した斜視図である。
【図３（ａ）】本発明の壁面の下地処理方法を示した断面図であって、胴縁の仮止め、下穴を開ける工程を示した工程図である。
【図３（ｂ）】同上のプライマー処理、接着剤を注入する処理を示した工程図である。
【図３（ｃ）】同上のビスを固定する工程を示していて、（ｃ１）は図１、図２の座金を用いた下地処理工程を示していて、（ｃ２）は図３の座金を用いた下地処理工程を示した工程図である。
【図４】本発明の壁面の下地処理工法に用いられる座金の他の実施形態であって、ビスと一体化した座金を示した斜視図である。
【図５】本発明によって完成した下地処理された壁面の斜視図である。
【符号の説明】
【００４１】
１．角型基板材
２．座金（折り曲げ突起部付き）
３．丸型基板材
４．丸棒
５．座金（突き刺し突起部付き）
６．ビス
７．座金（ビス一体化突起部付き）
８．ＡＬＣ壁面
９．胴縁
１０．仮止め部材
１２．電動ドリル
１３．下塗り剤
１４．接着剤
【図１】
2005126914.tif 000003
【図２】
2005126914.tif 000004
【図３（ａ）】
2005126914.tif 000005
【図３（ｂ）】
2005126914.tif 000006
【図３（ｃ）】
2005126914.tif 000007
【図４】
2005126914.tif 000008
【図５】
2005126914.tif 000009